(57)【要約】  組合せのウェットタオルと容器は、内室を画定する容器と、前記容器の上に配置される表示とを含む。第一の拭き取り用品は、前記容器の内室に格納するためにサイズ設定され、身体からの排出物をきれいにするように適合され、前記第一の拭き取り用品は、１０％よりも大きい含水量を有する基材を含んでいる。第一の拭き取り用品の表示は、前記第一の拭き取り用品の基材の上に配置される。容器、第一の拭き取り用品の表示は、それぞれ、消費者に前記拭き取り用品と前記容器の間での相互参照の情報を提供するための共通の視覚的な要素を含む。
2008529725.tif 000002
【特許請求の範囲】
【請求項１】
内室を画定する容器と、
前記容器の上に配置される容器の表示と、
前記容器の内室への格納に合わせてサイズ設定され、身体からの排出物をきれいにするように適合され、１０重量％よりも大きい含水量を有する基材を含む、前記第一の拭き取り用品と、
前記第一の拭き取り用品の基材上に配置される第一の拭き取り用品の表示と
を含む、拭き取り用品と容器の組合せであって、
前記容器及び前記第一の拭き取り用品の各表示は共通の視覚的な要素を含み、前記容器の表示及び前記拭き取り用品の表示を含む表示群内における少なくとも１つの表示は、前記第一の拭き取り用品の基材の特性を伝える情報性のある絵をさらに含むことを特徴とするウェットタオルと容器の組合せ。
【請求項２】
前記第一の拭き取り用品の基材は、トイレにおける処分に適した素材を含み、前記情報性のある絵は、トイレにおける前記第一の拭き取り用品の処分について伝えることを特徴とする請求項１に記載の組合せ。
【請求項３】
前記情報性のある絵はアイコンを含むことを特徴とする請求項１に記載の組合せ。
【請求項４】
前記情報性のある絵は文字を含むことを特徴とする請求項１に記載の組合せ。
【請求項５】
前記情報性のある絵は前記第一の拭き取り用品と前記容器の適合性を伝え、好ましくは、前記容器の表示及び前記第一の拭き取り用品の表示は、前記容器と前記第一の拭き取り用品の最初の共通の供給元と関連する視覚的な要素を含むことを特徴とする請求項１に記載の組合せ。
【請求項６】
前記共通の視覚的な要素は色を含むことを特徴とする請求項１に記載の組合せ。
【請求項７】
前記共通の視覚的な要素はアイコンを含むことを特徴とする請求項１に記載の組合せ。
【請求項８】
前記共通の視覚的な要素は文字を含むことを特徴とする請求項１に記載の組合せ。
【請求項９】
前記第一の拭き取り用品の絵は、前記拭き取り用品の基材の対向端部に位置する第一及び第二の絵の部分を含むことを特徴とする請求項１に記載の組合せ。
【請求項１０】
前記第一の拭き取り用品の基材は少なくとも約８０％のセルロース性の内容物を含むことを特徴とする請求項１に記載の組合せ。
注釈；上記請求項１〜請求項１０は、ケース９９１５（case 9915）についての「欧州特許庁のクレームの組（EPO claim set）」とみなされるべきである。請求項１１〜１４は、欧州特許庁での分割への包含可能性（possible inclusion）の考慮のために含まれる。これらは、米国における最初のクレームの組の一部であった。
【請求項１１】
内室を画定する容器と、
前記容器の上に配置される容器の表示と、
前記容器の内室への格納に合わせてサイズ設定され、身体からの排出物をきれいにするように適合され、１０重量％よりも大きい含水量を有する基材を含む、前記第一の拭き取り用品と、
前記容器の内室への格納に合わせてサイズ設定され、身体からの排出物をきれいにするように適合され、重量で１０重量％よりも大きい含水量を有する基材を含む、前記第二の拭き取り用品と、
第一の拭き取り用品の使い方の絵を含む、前記第一の拭き取り用品の基材上に配置される第一の拭き取り用品の表示と、
第二の拭き取り用品の使い方の絵を含む、前記第二の拭き取り用品の基材上に配置される第二の拭き取り用品の表示と
を含むウェットタオルと容器の組合せ。
【請求項１２】
前記第一の拭き取り用品の使い方の絵は第一の色を含み、前記第二の拭き取り用品の使い方の絵は第二の色を含むことを特徴とする請求項１１に記載の組合せ。
【請求項１３】
前記第一の拭き取り用品の使い方の絵は第一のアイコンを含み、前記前記第二の拭き取り用品の使い方の絵は第二のアイコンを含むことを特徴とする請求項１１に記載の組合せ。
【請求項１４】
前記容器の表示、前記第一の拭き取り用品の表示及び前記第二の拭き取り用品の表示のそれぞれが共通の視覚的な要素を含むことを特徴とする請求項１１に記載の組合せ。
【発明の詳細な説明】
【技術分野】
【０００１】
本開示は、一般に衛生目的に利用される拭き取り用品、及び、そのための容器に関する。
【背景技術】
【０００２】
様々な種類の拭き取り用品が、当該技術分野において一般に知られている。これらは、乾式拭き取り用品であって、約１０％未満の水分含有量を有するものとしてここで認識されるもの、及び、ウェットタオルであって、約１０重量％を超える含水量を有するものとしてここで確認されるもの、を含む。ウェットタオルは、しばしば、身体表面からの排出物又は他の物質をきれいにするために、衛生的な使用において利用される。例えば、これらは、手をきれいにする用途、オムツの交換の際に小さい子供及び幼児をきれいにする用途、又は、浴用ティッシュ（トイレットペーパーの代わり）、として利用され得る。一般的に、複数の又は積み重ねたウェットタオルは、容器の内部に格納するためにサイズ設定され、前記容器は、しばしば、蝶番式のフタを上部に有するプラスチックの桶状部材である。前記フタは、個別のウェットタオルのシートを取り出すために開かれることができる。いったん複数の拭き取り用品が使用されると、前記容器は、交換用の拭き取り用品とともに再利用されることができる。
【発明の開示】
【発明が解決しようとする課題】
【０００３】
ウェットタオルの利用がより広範になるにつれて、容器を補充するために、最初の拭き取り用品の出所とは異なる出所からの交換用の拭き取り用品が利用されるといった可能性が増えている。交換用の拭き取り用品と最初の拭き取り用品が実質的に似通っている場合では、消費者にとっての損害についての危険性は少ない。一方で、交換用の拭き取り用品が大幅に最初の拭き取り用品と異なるときには、消費者は有害な、又は、コストのかかる結果を経験し得ることになる。例えば、仮に、最初の拭き取り用品がトイレにおける処分に適したものである一方で、交換用の拭き取り用品がそうでない場合、消費者は、交換用の拭き取り用品のトイレでの処分によって、彼又は彼女の配管を図らずして損傷するであろう。同様に、最初のものと異なる化学的な組成物や基質構造を有する交換用の拭き取り用品を使用した際には、不快感及び／又は負傷が生じ得る。またさらに、消費者が最初の容器を異種の劣った交換用の拭き取り用品とともに利用する際には、彼又は彼女は望ましくない交換用の拭き取り用品の特性と容器のブランドとを関連付け得る。したがって、交換用の拭き取り用品が、容器及び／又は最初の拭き取り用品と同様に信頼できる出所と同じところに由来する、又は、そうでなければ最初の容器と適合性がある、ということの視覚的な強化策を提供することが効果的である。
【０００４】
加えて、流通している交換用の拭き取り用品は、その拭き取り用品の一以上の特徴に関連する情報を消費者に対して提供又は誘導することを欠いている。
【課題を解決するための手段】
【０００５】
上述したように、拭き取り用品がトイレにおける処分にとって適しているか否かは、消費者にとって重大な結果をもたらし得ることであり、そしてこのことからトイレでの処分における拭き取り用品の適正についての情報は要望されるものである。加えて、拭き取り用品は、使用のために特別な手順を有し得るものであり、又は、消費者に有効に伝達され得る他の特性も有し得るものである。
【０００６】
さらに最近では、ウェットタオル及びそれが格納される容器は、子供による使用のために改良され、また、子供をターゲットとして市場活動努力がされてきた。従来の拭き取り用品についての前述の問題は、その利用者が子供であるときには、さらに深刻である。
【発明を実施するための最良の形態】
【０００７】
本開示は、相互参照の表示を有する拭き取り用品と容器の組合せを目的とするものである。容器と拭き取り用品の両方に提供される前記表示は、容器と拭き取り用品の間の適合性又は消費者向けの他の情報を伝える共通の視覚的な要素を含むことができる。ある代表的な実施形態では、容器及び／又は拭き取り用品は、トイレでの処分のための拭き取り用品の適正を伝える。これら及び他の実施例は、下記においてより詳細に開示される。
【０００８】
拭き取り用品を格納する容器１０を図１に示す。前記容器１０は、基台１２、側壁１４、及び、上壁１６を含む。前記基台１２、側壁１４、及び、上壁１６は、一以上の拭き取り用品を格納するためにサイズ設定された内室１８を画定する。前記上壁１６は、さらに、前記内室１８とつながる開口２０を画定する。前記開口２０は、拭き取り用品２２が通過できるようにサイズ設定がされ、これによりユーザが容器１０から拭き取り用品を取り出すことを可能とする。フタ２４は回動可能に前記容器１０に付けられるとともに、前記開口２０に届くことを可能とする開位置と、前記開口２０を覆う閉鎖位置との間で可動とする。前記フタ２４を閉塞位置に選択的に固定するために、留め具２６も前記容器１０に付けられる。前記容器１０、フタ２４、及び、留め具２６は、プラスチックのような任意の既知の容器材料にて形成されることができる。
【０００９】
前記容器１０とともに使用するための拭き取り用品３４の代表的な実施形態を図２に示す。前記拭き取り用品３４は、前記容器内室１８の内側の格納部に対応してサイズ設定された実質的に方形の形状を有している。基材３６は、限定はされないが、織布又は不織布の柔らかいもの（foam）、ウェブ、スポンジ、詰綿、ボール（balls）、パフ（puffs）、又は、フィルム材といった、拭き取り用品として使用される任意の既知の素材にて形成することができる。前記基材素材は、人工又は天然であってよく、また、乾式形成（forming）、エアレイイング、湿式レイイング、メルトブロウン、スパンボンド、ニードルパンチ、又は、スパンレースといった、当該技術における任意の方法により生産されるものでよい。人工繊維の例として、例えば、セルロースの誘導体（derivates）又は再生品といった、セルロースから製造される繊維が挙げられる。
【００１０】
好ましい実施形態では、前記拭き取り用品３４は、トイレにおける処分に好適なウェットタオルである。このことから、前記拭き取り用品の基材３６は、好ましくは、セルロース系の内容物、又は、他の生分解性繊維内容物を、少なくとも約８０％含む。さらに、ここで使用される用語「ウェットタオル」とは、１０重量％よりも大きな含水量を有する拭き取り用品の基材をいう。このようなウェットタオルは、約５０重量％から約４００重量％、又はそれよりも多い含水量をしばしば有する。一方で、ここで使用される「乾式拭き取り用品」は、約１０％よりも少ない含水量を有する拭き取り用品の基材をいう。
【００１１】
当該技術分野において既知のように、外観、表面質感、色、又は、香りを向上させるために、前記基材３６は、さらに、そこに加えられる他の構成成分又は素材を含んでもよい。前記基材３６は、さらに洗浄組成物を組み入れてもよい。ここで利用される用語「組み入れる」とは、前記基材に対し、好ましい液体洗浄組成物にてコーティングする、又は、浸透させることをいう。前記組成物は、任意の適切な形態にて配合することができ、例えば、固体、ペースト、液体としてである。前記組成物は、限定はされないが、過酸素漂白剤、消毒構成成分、有機酸、界面活性剤、キレート剤、溶媒、研磨材、安定剤、漂白活性化剤、土質サスペンダ、転染剤、増白剤、香料（perfumes）、抗ダスティング剤、酵素、界面活性剤、レオロジー変性剤、分散剤、転染阻害物質、色素、芳香剤（perfumes）、ラジカルスカベンジャー、ｐｈ緩衝剤、染料、又は、これらの混合物といった、多種の成分を含むことができる。
【００１２】
容器の表示３０及び拭き取り用品の表示３８は、それぞれ、消費者に情報を伝えるために、前記容器１０及び拭き取り用品３４の上に配置される。ここで「配置される」という句は、表示３０、３８が配置される、又は、そうでなければ容器１０及び拭き取り用品３４に提供される、ということを意図するために利用される。例えば、容器の表示３０は、容器の側壁１４の上に直接印刷でき、又は、容器１０に貼り付けられるラベル３１のような別体の基材の上に印刷できる。前記表示３０、３８は、印刷方法を含む、任意の既知の方法を利用して適用することができる。ここで利用される用語「印刷」は、製品、容器、ラベル、タグ、拭き取り用品、又は他の基材の上において視認できる指標を形成する全ての形態を幅広くカバーすることを意図している。前記表示を適用するための他の機構として、型押し（熱的型押し又は機械的型押しといったもの）、油圧型押し（時に、成形又は油圧成形として知られているもの）、及び、空圧型押しが含まれる。前記表示３０、３８は、ユーザに情報を伝えるために選定される。前記情報は、容器１０とともに拭き取り用品３４を利用することの全般的な適合性又は望ましさと関連することができ、並びに、拭き取り用品及び／又は容器１０に関する指導的又は説明的な情報を提供することができる。
【００１３】
ここで使用される用語「伝える」とは、表示の能力であって、ユーザに、アイデア又はメッセージを印象付ける能力、もしくは、認識される反応を引き起こす能力をいう。このため、伝えるということは、意図されたメッセージに辿り着くためのユーザの経験又は知識に依存することとなり得る。加えて又は別の方法としては、前記表示は、ユーザの事前の知識や経験を必要としない基本的な又は本能的なレベルにおいて理解される単純な概念を説明することができる。いずれにしても、前記表示は、受け取り側のユーザによって一般に理解され得るメッセージを伝達するということにおいて、認知性のある機能である。
【００１４】
前記表示は、前記拭き取り用品及び／又は容器に関連する伝達情報に適した、いずれかの視覚的な伝達の形態であることができる。それ故に、前記表示は、限定はされないが、絵入りのシンボル、写真、図形、漫画、及び、ロゴを構成するアイコンを含むことができる。例えば、前記アイコンは、前記拭き取り用品及び容器を使用する子供又は動物を擬人化した絵の図形として提供されることができる。同様に、前記アイコンは、よく知られた漫画のキャラクター又はブランドのロゴ、もしくは、その製品と関係を持つように特に作成されたキャラクターを含むことができる。前記アイコンは、さらに、動作や行動を示すために、矢印といったようなシンボルを含むことができる。
【００１５】
前記表示は、それが消費者に必要な情報を伝えるものである限りは、あらゆる方法によっても配置することができる。前記表示は、１つのアイコン又は一連のアイコンであることができる。各アイコンは、一以上の視覚的な指示メッセージを含むことができる。一連のアイコンが提供される場合では、図形は、限定はされないが、縦方向に、水平方向に、対角線の方向に、環状に、及びそれらの組合せといったような、いずれの適切な様式によって配置されることができる。
【００１６】
前記表示は、所望によりユーザの製品についての関心を増加させることができるキャラクターの図形を含んでもよい。ここで使われる用語「キャラクターの図形」とは、擬人化された絵を含む図形、及び、特に、無生物のオブジェクト、動物、自然現象、玩具、漫画のキャラクター、などに対する人間のモチベーション、特性又は行動に帰する人間の形態又は外観を有する又は暗示する絵をいう。前記キャラクターの図形は、メディア、広告、又は、特定の文化においてよく知られたものにおいて、人気のあるキャラクターと関連されることができる。理想的には、それらは、ユーザ、特に子供において、関心を持つとともに識別をしたがるキャラクターである。
【００１７】
容器の表示３０及び拭き取り用品の表示３８とすることができる表示４８の例は、図３に図示される。図示される表示４８は、拭き取り用品の利用及び処分に関連する情報を提供する一連のアイコンを含む。具体的には、表示４８は、トイレ用拭き取り用品５１が、使い捨ての事前に加湿されたトイレ用拭き取り用品の容器５２からどのように取り出されるかを示す第一のアイコン５０を含む。トイレ用の拭き取り用品５１を掴んでいる手５３が示され、また、矢印５４は、前記容器５２から前記トイレ用の拭き取り用品５１が引いて取り出される方向を示している。第二のアイコン５５は、二つの視覚的な指示メッセージを含み、第一の視覚的な指示メッセージ５６は、この場合ではカエル５７であって、肛門周囲部のエリアをトイレ用の拭き取り用品５２にて拭いている擬人化された動物を示し、また、第二の視覚的な指示メッセージ５８は、トイレ５９内にトイレ用の拭き取り用品５２を捨てているカエル５７の手５３を示す。矢印６０は、トイレ用の拭き取り用品５２のトイレ５９内への処分の方向を示すために、前記第二の視覚的な指示メッセージ内に提供される。第三のアイコン６１は、トイレのフラッシャー（flusher）６２にかけられるカエル５７の手５３、及び、前記フラッシャー６２が押し込まれる方向を図示する矢印６３を示すことで洗い流すステップを図示している。第四のアイコン６４は、容器のフラッグ（flag）６５にかけられるカエルの手５３と矢印６６の方向へ加えられる力を示すことで、拭き取り用品の容器５２を閉じることを図示している。
【００１８】
前記アイコンは、さらに、アイコン内において示されるステップを成し遂げるための順序を認識するための数値的な表示を含んでもよい。図３に図示されるように、前記第一のアイコン５０は、それが第一のステップであることを表現する図示的な描示６７を含んでいる。前記第二のアイコン５５は、拭き取りと捨てることが第二及び第三のステップであることをそれぞれ表現する図示的な描示６８、６９を含んでいる。第三のアイコン６１は、フラッシング（flushing）が第四のステップであることを図示する図示的な描示７０を含んでいる一方、第四のアイコン６４は拭き取り用品の容器を閉じることが第五のステップであることを示す図示的な描示７１を含んでいる。
【００１９】
上述のように、同様の表示４８が容器１０と拭き取り用品３４の両方に提供されることができる。これにより、容器の表示３０と拭き取り用品の表示３８の両方がいくつかの共通の視覚的な要素によって結びついていることが認識されることになる。例えば、両方の表示が、数あるなかで、容器の図、擬人化されたカエル、及び、トイレの図、といった共通の視覚的な要素を有している。共通の視覚的な要素は、前記拭き取り用品３４と容器１０が互いに利用されることが意図されている、ということを消費者に伝える。
【００２０】
図示される実施例では、同一の表示を有する前記容器１０と拭き取り用品３４の両方が示されているが、容器の表示３０と拭き取り用品の表示３８が少なくとも１つの共通の視覚的な要素を有する限りは、前記表示は異なってもよいものと認識され得る。さらに、共通の視覚的な要素は、容器の表示３０と拭き取り用品の表示３８の両方において同一である必要は無く、しかし、その代わりに、単に似通ったものとすることができる。似通った視覚的な描示の例であって、共通の視覚的な要素を図示しているものと考えられ得るものは、似通ったアイコンの題材（擬人化されたカエルの非同一の絵を用いたようなもの）、似通った色のスキーム、もしくは、似通った文字のフォント又は構文、を含む。さらには、図１〜３の実施例では、いくつかの共通の視覚的要素を含む、容器の表示３０と拭き取り用品の表示３８を開示するが、必要な情報を消費者に伝えるためには、ただ１つの共通の視覚的な要素で充分である。
【００２１】
例示される表示４８が共通の視覚的な要素として一連のアイコンを含む一方で、他の種類の図示的な描示も使用することができる。例えば、共通の視覚的な要素は、容器１０と拭き取り用品３４の両方によって共有される共通の色又は色のスキームとすることができる。あるいは、共通の視覚的な要素は、容器１０と拭き取り用品３４の両方の上に提供される似通った文字とすることができる。共通の文字は、ブランドネーム、キャッチフレーズ、又は、他の単語であって、容器１０及び拭き取り用品３４と結合して、もしくは、そうでなければ関連付けられて市場に出されるものとすることができる。
【００２２】
さらに、例示のアイコンは一連のステップを図示するが、前記アイコンは、拭き取り用品の使用、及び／又は、処分を指示する必要は無い。図４に示すごとく、例えば、拭き取り用品４０は、擬人化されたカエルの手のプリント４２のような、シンプルな繰り返しのパターンを含むことができる。前記容器の表示３０は、似通った手のパターンを含むことができ、又は、擬人化されたカエルの全身のような、手のプリントと関連する視覚的な要素を含むことができる。そのような表示は、拭き取り用品や容器の利用に関連する指示を提供しないが、前記拭き取り用品３４を前記容器１０と一緒に使用することが意図されること、もしくは、そうでなければ適合性があること、ということを消費者に伝える。
【００２３】
共通の視覚的な要素を含むことに加えて、容器の表示３０と拭き取り用品の表示３８の少なくとも１つは、さらに、最初の拭き取り用品３４の特性を消費者に伝える情報性のある絵を含むことができる。トイレ処分可能な拭き取り用品については、例えば、前記表示は、トイレにおいて拭き取り用品が処分できる性能を消費者に伝える情報性のある絵を含むことができる。ここで利用される用語「トイレ処分可能」とは、拭き取り用品の次の特性を含む；フラッシャブル性、分散性、及び、生分解性。ここで用語「フラッシャブル」及び「フラッシャブル性」とは、詰まらせること又は同様な問題がなく、一般に市場で入手できる家庭用トイレ及び配管配水システムを通過できる製品の能力であって、製品の物理的な構造と直接的に関連し得るものをいう。ここで拭き取り用品に適用される用語「分散可能」とは、緩やかに攪拌された水中において少なくとも二つの破片に分散される事項のことをいう。そのような仕掛けは、従来のトイレ及び／又は家庭の配管システムにおいて小片に破断し、また、下水処理システムを通して最終的に積極的な処理を経る。ここで利用される用語「生分解可能」とは、好ましくは特に生分解性の素材で作製される拭き取り用品についてのことをいう。
【００２４】
例示される表示４８は、拭き取り用品３６のトイレにおける処分特性を伝える情報性のある絵を含む。図３に関して最もよく示されるように、アイコン５５は、トイレ５９内にトイレ用の拭き取り用品５２を処分しているカエル５７の手５３を表す視覚的な指示メッセージ５８を含んでいる。それ故に、容器１０又は拭き取り用品３４が提供された際には、視覚的な指示メッセージ５８は、拭き取り用品がトイレにおいて処分できることを消費者に伝えることになる。
【００２５】
情報性のある絵は、トイレにおける拭き取り用品の処分についての能力に対し、追加で、又は、代替的に、他の概念を伝えることができる。例えば、情報性のある絵は、単純に、拭き取り用品３４が容器１０と適合性があるということを伝えることができる。図３に示される例示の実施例を再度参照すると、表示は、容器５２の図示的な描示を含むアイコン５０を含む。図示的な描示５２は、実際の容器１０の外観と似通った外観を有し、そして、これにより、消費者は、拭き取り用品３４が容器１０と一緒に使われることを理解することになる。さらには、図示的な描示５２と容器１０の似通った外観は、前記拭き取り用品３４と容器１０が同一の供給元に由来するということを消費者に伝えることができる。容器１０内において交換用の拭き取り用品を利用する状況を考慮すると、消費者は、交換される拭き取り用品が、最初の拭き取り用品を供給した同一の供給元からやってくるものであって、これにより、彼又は彼女が慣れている同一の特性を呈するということを知ることで、安心することになる。
【００２６】
複数の交換用の拭き取り用品は、適切な量の拭き取り用品の使用について消費者を手助けするために、異なる、又は、交互の表示を有することができる。交換用の拭き取り用品は、一般的には、複式の拭き取り用品を積み重ねた形態にて提供される。配慮が行われない場合では、一以上の拭き取り用品が容器から引き出されることができる。多くの拭き取り用品が同時にトイレにおいて捨てられる場合では、拭き取り用品が配管を詰まらせる可能性がある。このことは、拭き取り用品を使用すること（又は少なくとも小出しすること）を楽しむ子供によって拭き取り用品が使用され、これにより、配管が詰まるという結果の可能性の認識の無いままに、故意の過剰な枚数の拭き取り用品が捨てられるときに、特に問題になる。
【００２７】
使用する適切な枚数の認識について、ユーザ、特に子供のユーザを補助するために、異なった表示を交換用の拭き取り用品の積み重ねたものにおいて隣接した拭き取り用品に適合することができる。図５に示すごとく、第一の拭き取り用品７２は第一の表示７４を含むことができる一方、第二の拭き取り用品７６は第二の表示７８を含むことができる。第一の拭き取り用品の表示７４は、目を開いた擬人化したカエルを含む、第一の拭き取り用品の使い方の絵を含む一方で、第二の拭き取り用品の表示７８は、目を閉じた擬人化したカエルを含む、第二の拭き取り用品の使い方の絵を含む。拭き取り用品を積み重ねたものの中における第一及び第二の拭き取り用品７２、７６を交互にすることで、ユーザは、使用される拭き取り用品の枚数についての合図を受容することになり、これにより、ユーザの監視する能力を向上させ、必要であれば、彼又は彼女の拭き取り用品の利用を制限する。第一と第二の拭き取り用品の表示７４、７８の違いは、子供によって簡単に認識することもできる。異なる拭き取り用品の表示の意義は、拭き取り用品、容器、又はこれらの製品とともに提供される他の情報によって、ユーザに伝えられる。
【００２８】
第一及び第二の拭き取り用品の使い方の絵は、アイコンとして図示されるが、前記表示は交互の色、文字、又は他の図示的な描示を含むことができるということは、理解されるであろう。例えば、前記第一の拭き取り用品７２は、第一の色の背景８０を有することができる一方、第二の拭き取り用品７６は第二の色の背景８２を有することができる。第一及び第二の背景の色８０、８２は、第一及び第二の拭き取り用品７２、７６を認識するために、キャラクターの図形無しに単独で利用されることができる。
【００２９】
拭き取り用品上の前記表示の位置は、さらに、ユーザに、使用中における拭き取り用品のつかむ場所を伝えることができる。具体的には、拭き取り用品の端部上のプリントは、ユーザに拭き取り用品をその端部の位置において掴むことを奨励する、ということが確認されている。図６に示される例示の実施例では、拭き取り用品８４は、擬人化したカエルの手のアイコン８８を含む表示８６を含んでいる。カエルの手の完全な絵の形成のために、拭き取り用品が折り曲げ、又は、ロールされなければならないために、アイコン８８は、拭き取り用品８４の反対側の端部に位置する第一の部分８８ａと第二の部分８８ｂとを含んでいる。結果として、ユーザは、アイコン８８を完成するために、彼又は彼女の手の周りにおいて拭き取り用品８４を折り曲げることによる意図された方法によって、拭き取り用品８４を保持することを促される。
【００３０】
手の絵とは別の図形も、ユーザの注意を引き付け、及び、掴む位置を指示するために使われることができる。拭き取り用品が子供によって利用されることが予定される場合、クッキー、スプーン、又は、子供によって一般に掴まれる他の物の絵を携えることができる。或いは、前記表示は、星、風船、又は用意に子供によって理解される他のアイテムの絵、又は、パターン及び装飾性のあるデザインであって子供の注意を引き付けるものを含むことができる。
【００３１】
ここで開示される表示は、子供による利用が予定される拭き取り用品及び容器について、特に好適である。そうであるから、ここで図示される例の表示は、読み書きができる前の子供によって簡単に理解できることを予定されている。ここで利用される用語「読み書きができる前」及び「読むことができない」は、理解すること、読解すること、及び、介護人の補助無しに子供が話すことができる言語で書かれた指示メッセージに従うこと、を正しく行うことについての子供の無能力を意味するために、代替的に利用される。子供の文字を理解する能力、及び／又は、一つ又は二つの分離した文字を読むための能力は、彼又は彼女が、補助無しでは、そのように書かれた指示メッセージを理解できない、読解できない、従うことができないことになるため、子供が「読むことができない」、ということをそれでもなお意味する。しかし、「読むことができない」についてのこの定義は、視覚的な指示メッセージであって、絵、アイコン、シンボル、身振り、漫画等の形態で表されるものについて、理解できること、読解できること、従うことができること、ということから、子供を排除するものではない。さらには、開示される実施例は、読み書きできる前の子供によって理解されることができるが、表示について、このレベルにおいて理解される必要は無い。
【００３２】
本開示の特定の実施形態について説明し記載したが、本発明の精神および範囲から逸脱することなく他の様々な変更および修正が可能であることは当業者には明白であろう。従って、本開示の範囲内にあるそのような全ての変更および修正を、添付の特許請求の範囲で扱うものとする。
【図面の簡単な説明】
【００３３】
【図１】拭き取り用品を格納するための容器の斜視図。
【図２】その上に配置される表示を有する拭き取り用品の１つの代表的な実施例の平面図。
【図３】容器及び拭き取り用品の両方の上に使用するための表示の１つの代表的な実施例の詳細の拡大図。
【図４】交互の表示を有する拭き取り用品の平面図。
【図５】拭き取り用品の積み重ねの中に交互に提供されることができる一連の二つのウェットタオルの平面図。
【図６】端部のプリントを含む拭き取り用品の平面図。
【図１】
2008529725.tif 000003
【図２】
2008529725.tif 000004
【図３】
2008529725.tif 000005
【図４】
2008529725.tif 000006
【図５】
2008529725.tif 000007
【図６】
2008529725.tif 000008
【国際調査報告】
2008529725.tif 000009
2008529725.tif 000010